(57)【要約】【課題】  利用者独自の目的地及び位置情報の設定が行えるナビゲーションシステムを提供する。【解決手段】  情報の入力を行うユーザ端末１０、ユーザ端末から送信された情報を保持する位置情報サーバ３０及び位置情報サーバ３０の有する情報を表示するナビゲーション端末１０がそれぞれネットワークを介して通信可能となっており、利用者は登録したい位置、位置の名前、有効期間や位置に関する説明をユーザ端末１０から位置情報サーバ３０に登録し、ナビゲーション端末１０を用いて位置の検索を行う。【選択図】  図１
2005172524.tif 000002
【特許請求の範囲】
【請求項１】
位置の情報を保持する位置情報サーバ、前記位置情報サーバから得られる位置の情報の処理を行うナビゲーション端末及び入力を行う利用者端末がネットワークを介して接続されているシステムであって、位置の情報及び位置に付随する情報が前記利用者端末から前記位置情報サーバに登録されることを特徴とする位置情報登録検索システム。
【請求項２】
前記位置情報サーバの保持する位置情報及び位置に付随する情報は前記利用者端末から削除及び変更されることを特徴とする請求項１に記載の位置情報登録検索システム。
【請求項３】
マルチメディアコンテンツを保持するウェブサーバを更に有し、前記ウェブサーバのアドレスが位置に付随する情報として前記利用者端末から前記位置情報サーバに登録されることを特徴とする請求項１に記載の位置情報登録検索システム。
【請求項４】
前記位置情報及び位置に付随する情報の有する語句を前記ナビゲーション端末に入力し、前記位置情報サーバにおいて検索を行うことを特徴とする請求項３に記載の位置情報登録検索システム。
【請求項５】
ネットワークに接続されたサーバであって、位置の情報及び位置に付随する情報を保持し、前記位置の情報及び位置に付随する情報の登録、更新及び削除がネットワークに接続された端末からの指示で行われることを特徴とする位置情報登録検索サーバ。
【請求項６】
前記位置に付随する情報は位置の名前、位置に関する説明、有効期間及び位置に関連するＵＲＬ（Uniform Resource Locators ）を有することを特徴とする請求項５に記載の位置情報登録検索サーバ。
【請求項７】
位置の情報を保持する位置情報サーバ、前記位置情報サーバから得られる位置の情報を処理するナビゲーション端末及び入力を行う利用者端末を有するシステムにおいて、位置の情報及び位置に付随する情報が前記利用者端末から前記位置情報サーバに登録されることを特徴とする位置情報登録検索方法。
【請求項８】
前記位置情報サーバの保持する位置情報及び位置に付随する情報は前記利用者端末から削除及び変更されることを特徴とする請求項７に記載の位置情報登録検索方法。
【請求項９】
前記システムはマルチメディアコンテンツを保持するウェブサーバを更に有し、前記ウェブサーバのアドレスが位置に付随する情報として前記利用者端末から前記位置情報サーバに登録されることを特徴とする請求項７に記載の位置情報登録検索方法。
【請求項１０】
前記位置情報及び位置に付随する情報の有する語句を前記ナビゲーション端末に入力し、前記位置情報サーバにおいて検索を行うことを特徴とする請求項９に記載の位置情報登録検索方法。
【発明の詳細な説明】
【技術分野】
【０００１】
本発明は、ナビゲーションシステムにおいて位置の情報を登録し、キーワード等で検索を行う位置情報登録検索システム、位置情報登録検索サーバ及び位置情報登録検索方法に関する。
【背景技術】
【０００２】
ナビゲーションシステムの利用者数は、カーナビゲーションシステムの普及や、携帯電話におけるナビゲーションサービスの開始などにより、今後ますます増加するものと思われ、今後のさらなる機能の向上が期待されている。
【０００３】
ナビゲーションシステムにおいて目的地を設定する際の従来の方法としては、ａ）画面上に地図を表示させその地図上で目的地を設定する方法や、ｂ）地名や住所、電話番号等の情報を利用者が入力する事で、その情報に対応する位置情報をデータベースから検索し目的地を設定する方法、ｃ）データベースが保持する駅やホテルやコンビニなどの公共の場所や店舗の一覧を画面に表示し、利用者がその中から目的地を選択し設定する方法などが一般的であった。
【０００４】
また従来は上記データベースは、ナビゲーションシステムが内蔵する方式が一般的であったが、近年の無線技術の発展等により、ネットワーク上のサーバがデータベースを保持し、ナビゲーションシステムはサーバから上記情報を取得する事も可能になってきている。
【０００５】
上記従来の方式のうちｃ）の方法に注目すると、この方式では大きく３つの問題があげられる。
第１の問題は、データベースに保持する位置情報が駅やホテル、コンビニなどの公共の場所や店舗に限られているという点である。このためこれら以外の場所を利用者が選択して目的地に設定することが困難となり、ナビゲーションシステムの用途が限定されることになる。
【０００６】
第２の問題は、データベースが保持する各位置情報が名前と位置等に限定されており、任意の付加情報を持てない点である。このため、スーパーや商店街の位置を利用者に提供できても、特売情報やイベント情報、開催期間などを利用者に提供できないという課題が残る。
【０００７】
第３の問題は、位置情報サーバが管理するデータベースに第３者が自由に位置情報を登録できない点にある。これにより個人が個人商店や集合場所などの位置情報をデータベースに登録することが難しくなり、ナビゲーションシステムのより柔軟な利用方法を妨げることとなる。
【０００８】
先行文献として、上記ｂ）の方式を用いるものとしては特許文献１が挙げられる。特許文献１では目的地を検索する為にキーワード（電話番号や住所等）を入力して、その情報に対応する位置情報をサーバから得ている。しかし、特許文献１におけるキーワードは目的地検索に使用されるのみである。
【０００９】
また、上記ｃ）の方式を用いるものとして特許文献２がある。特許文献２では目的地の施設の検索を容易にする為に、施設の種類に基づいて連想されるキーワードを利用するものである。特許文献２におけるキーワードは検索対象の絞り込みに利用されるのみである。
【特許文献１】特開２００１−２６４０９５号公報
【特許文献２】特開２００２−２９７０２８号公報
【発明の開示】
【発明が解決しようとする課題】
【００１０】
上に述べたように、現状のナビゲーションシステムにおいては、ナビゲーションシステムがもつデータベースから公共の場所や店舗のリストを取得し、利用者がその中から希望の目的地を選択するという方法の場合、データベースに登録されている情報が、駅やガソリンスタンド、コンビニなどの公共の場所や店舗に限定されており、また各店舗などの情報についても位置と名前などの必要最低限の情報に限られているため、利用者が選択できる目的地が大幅に制限されたり、選択にあたって必要な情報が十分得られなかったりするといった問題が生じる。
【００１１】
本発明は、このような背景のもと、利用者が目的地を選択、設定する際に、任意のキーワードを入力することによって、公共の場所や店舗に限らず、屋台や集合場所といった任意の場所をも検索できるようにし、またキーワードの検索結果として、位置や名前以外に、特売中や営業時間案内などの任意の情報を利用者に提供できるようにすることで、利用者が目的地の選択をする際の利便性を向上させることを目的とする。
【課題を解決するための手段】
【００１２】
本発明では、位置情報サーバが管理するデータベースに登録する位置情報として、位置と位置の名前の他に、位置に関する説明、情報の有効期間などの情報をネットワークに接続されたＰＣなどから第３者が容易に登録でき、利用者がナビゲーションシステムにキーワードを入力することにより、位置情報サーバがキーワードにマッチする位置情報をデータベースから検索し、利用者は検索結果から希望の目的地を選択、設定できるようにすることで、従来の課題を解決する手段を提供する。
【００１３】
本発明の位置情報登録検索システムは、位置の情報を保持する位置情報サーバ、前記位置情報サーバから得られる位置の情報の処理を行うナビゲーション端末及び入力を行う利用者端末がネットワークを介して接続されているシステムであって、位置の情報及び位置に付随する情報が前記利用者端末から前記位置情報サーバに登録されることを特徴とする。
【００１４】
また本発明の位置情報登録検索システムにおいて、上記位置情報サーバの保持する位置情報及び位置に付随する情報は上記利用者端末から削除及び変更されることを特徴とする。
【００１５】
また本発明の位置情報登録検索システムは、マルチメディアコンテンツを保持するウェブサーバを更に有し、上記ウェブサーバのアドレスが位置に付随する情報として上記利用者端末から上記位置情報サーバに登録されることを特徴とする。
【００１６】
また本発明の位置情報登録検索システムは、上記位置情報及び位置に付随する情報の有する語句を上記ナビゲーション端末に入力し、上記位置情報サーバにおいて検索を行うことを特徴とする。
【００１７】
また本発明の位置情報登録検索サーバは、ネットワークに接続されたサーバであって、位置の情報及び位置に付随する情報を保持し、上記位置の情報及び位置に付随する情報の登録、更新及び削除がネットワークに接続された端末からの指示で行われることを特徴とする。
【００１８】
また本発明の位置情報登録検索サーバにおいて、上記位置に付随する情報は位置の名前、位置に関する説明、有効期間及び位置に関連するＵＲＬ（Uniform Resource Locators ）を有することを特徴とする。
【００１９】
また本発明の位置情報登録検索方法は、位置の情報を保持する位置情報サーバ、上記位置情報サーバから得られる位置の情報を処理するナビゲーション端末及び入力を行う利用者端末を有するシステムにおいて、位置の情報及び位置に付随する情報が上記利用者端末から上記位置情報サーバに登録されることを特徴とする。
【００２０】
また本発明の位置情報登録検索方法において、上記位置情報サーバの保持する位置情報及び位置に付随する情報は上記利用者端末から削除及び変更されることを特徴とする。
【００２１】
また本発明の位置情報登録検索方法において、上記システムはマルチメディアコンテンツを保持するウェブサーバを更に有し、上記ウェブサーバのアドレスが位置に付随する情報として上記利用者端末から上記位置情報サーバに登録されることを特徴とする。
【００２２】
また本発明の位置情報登録検索方法は、上記位置情報及び位置に付随する情報の有する語句を上記ナビゲーション端末に入力し、上記位置情報サーバにおいて検索を行うことを特徴とする。
【発明の効果】
【００２３】
本発明によれば、利用者が受動的に情報を受け取るだけではなく、利用者固有のナビゲーションシステム及びナビゲーション利用方法を構築することができる。
【発明を実施するための最良の形態】
【００２４】
利用者が独自の位置情報を登録できるナビゲーションシステムを以下のように実現した。
【実施例１】
【００２５】
＜構成＞
図１を参照すると、本実施例は、ナビゲーション端末１０と、ユーザ端末２０と、位置情報サーバ３０と、位置情報データベース４０と、ユーザＩＤ管理用データベース５０から構成される。
【００２６】
これらのナビゲーション端末１０、ユーザ端末２０、位置情報サーバ３０は、プログラム制御により動作し、インターネットなどのネットワーク１００を介して相互に接続されている。また位置情報データベース４０と、ユーザＩＤ管理用データベース５０は、位置情報サーバ３０に接続されている。
【００２７】
ユーザＩＤ管理用データベース５０は、位置情報提供者の氏名、住所、メールアドレスなどの個人情報の他に、位置情報サーバ３０が個々の位置情報提供者に割り振るユーザＩＤを保持する。
【００２８】
位置情報データベース４０は、位置（緯度・経度）、位置の名前、位置の説明、位置情報の有効期間からなる位置情報と位置情報提供者のユーザＩＤを保持する。
【００２９】
ナビゲーション端末１０は、カーナビゲーション端末やナビゲーションサービスを利用可能な携帯電話端末などの、グラフィカル・ユーザー・インタフェースを介してナビゲーション機能を利用者に提供する端末である。また、ナビゲーション端末１０は、通常のナビゲーション機能に加え、利用者が入力した任意のキーワードにマッチする目的地を位置情報サーバ３０から検索し、その結果を画面に表示し、利用者が目的地を選択、設定できる機能を備えている。
【００３０】
位置情報サーバ３０は、ナビゲーション端末１０から送信されたキーワードを用いて、位置情報データベース４０に保存されている位置情報を検索し、キーワードにマッチした位置情報をナビゲーション端末１０に返す機能を備える。位置情報サーバ３０は、さらに、位置情報管理用のホームページを所有し、位置情報提供者が位置情報サーバ３０のホームページにアクセスすることで、位置情報データベース４０が保持する位置情報データを更新することを可能とする機能を有する。
【００３１】
ユーザ端末２０は、ＰＣなどの情報処理端末であり、位置情報提供者が、位置情報サーバ３０のホームページにアクセスして、位置情報データベース４０が保持する位置情報の登録や削除、更新を行うことができる。
【００３２】
＜位置情報及び付加情報の登録＞
次に、図１〜図５を参照して本実施例の動作について詳細に説明する。
まず、図１〜図３を用いて位置情報提供者がユーザ端末２０から位置情報サーバ３０が管理する位置データベース４０に位置情報を登録する場合の動作について説明する。
【００３３】
位置情報提供者は、ユーザ端末２０より、位置情報サーバ３０が保持する位置情報管理用のホームページにアクセスする（図２及び図３のステップＡ１）。これに応答して、位置情報サーバ３０は、ユーザＩＤ／パスワード入力用の画面をユーザ端末２０に送信する（ステップＡ２）。位置情報提供者は、あらかじめ入手したユーザＩＤとパスワードを入力し、位置情報サーバ３０にその情報を送信する（ステップＡ３）。
【００３４】
ユーザＩＤの入手については、位置情報サーバ３０が提供する新規ＩＤ発行画面に、位置情報提供者が氏名、住所、メールアドレスなどの必要事項を記入し、位置情報サーバ３０が新規に割り当てたユーザＩＤをメールにて送信するなどの方法で行われる。
【００３５】
位置情報サーバ３０は、入手したユーザＩＤとパスワードが正しいかどうかを確認する為にユーザＩＤ管理用データベース５０を検索、チェックし（ステップＡ４）、正しい場合は、位置情報登録画面を、不正な場合は、ユーザＩＤ／パスワード入力用の画面をユーザ端末２０に送信する（ステップＡ５）。
【００３６】
ユーザ端末１０がユーザＩＤ/パスワード入力用の画面を受信した場合は、ステップＡ２からの処理を繰り返し、位置情報登録画面を受信した場合は、それを画面に表示し次の処理に進む（ステップＡ６）。
【００３７】
ユーザ端末１０が位置情報登録画面を受信した場合は、それを画面に表示し、位置情報提供者は、ユーザ端末２０に表示された位置情報登録画面に、位置、位置の名前、有効期間、位置に関する説明を入力し、位置情報サーバ３０に送信する（ステップＡ７）。
【００３８】
ここで、位置を入力する手段としては、緯度と経度を直接入力する方法の他に、住所や電話番号を入力したり、位置情報サーバから地図をダウンロードし、地図上で位置を指定したりするなどの方法が考えられる。
【００３９】
位置情報サーバ３０は、ユーザ端末２０から送られてきた位置情報を、位置情報提供者のユーザＩＤとともに位置情報データベース４０に保存し（ステップＡ８）、登録完了画面をユーザ端末２０に通知する（ステップＡ９）。
【００４０】
ステップ８において、ユーザ端末２０から送信された位置が、住所や電話番号、地図上の位置である場合は、位置情報サーバ３０がそれを緯度と経度に変換して、位置情報データベース４０に保存する。
【００４１】
これで位置情報の登録は完了するが、位置情報サーバ３０が位置情報削除画面や、位置情報変更画面をユーザ端末２０に送信することにより、位置情報の削除や変更にも対応可能となる。
【００４２】
＜キーワードによる目的地の検索及び目的地設定＞
次に、図４及び図５を用いてナビゲーション端末１０において、キーワードを入力して目的地を設定する場合の動作について説明する。ナビゲーション端末１０のその他の機能については従来のナビゲーションシステム同様であるため、動作の説明は省略する。
【００４３】
ナビゲーション端末１０において目的地を設定する際に、利用者がキーワードによる検索を選択すると（図４のステップＢ１）、ナビゲーション端末１０の画面上にキーワード入力画面が表示される（ステップＢ２）。ここで利用者が目的地に関連するキーワードを入力すると、そのキーワードが位置情報サーバ３０に送信される（ステップＢ３）。
【００４４】
キーワード入力時に、複数のキーワードを入力する場合は、ａｎｄ条件かｏｒ条件かを（各キーワードを同時に満たす位置情報を検索するか、１つでも満たす位置情報を検索するかを）選択できる。
【００４５】
例としては、“××市”、“スーパー”、“特売”という３つのキーワードをａｎｄ条件で指定した場合は、３つのキーワードを同時に満たす位置情報のみが検索される。位置情報サーバ３０は、ナビゲーション端末１０からキーワードを受信すると、位置情報データベース４０が保持する位置情報の内容（位置、位置の名前、位置の説明）がキーワードを含むかどうか、位置情報が有効期限内にあるかどうかをチェックする（ステップＢ４）。
【００４６】
一致する位置情報が見つかった場合は、各位置情報がもつ位置、位置の名前、位置の説明をナビゲーション端末１０に送信し、キーワードに一致する位置情報が見つからなかった場合には、位置情報がないことをナビゲーション端末１０に送信する（ステップＢ５）。
【００４７】
位置情報がないことが通知された場合、ナビゲーション端末１０は、再度キーワード入力画面を表示し、ステップＢ２からの動作を繰り返す（ステップＢ６／なし）。ここで利用者がキーワード入力以外の方法で目的地を設定したい場合は、キーワード入力をキャンセルし、他の設定画面に遷移できる。
【００４８】
位置情報サーバ３０からキーワードにマッチする位置情報が送信された場合は（ステップＢ６／あり）、ナビゲーション端末１０は、送られてきた位置情報（位置、位置の名前、位置の説明）を画面上にリスト表示する（ステップＢ７）。利用者は、画面上に表示された位置情報の内容をチェックし、その中に目的地として設定したい情報があった場合は（ステップＢ８／あり）、その位置情報を選択することにより、その位置に目的地を設定することができる（ステップＢ９）。
【００４９】
希望の位置情報が見つからなかった場合は、ナビゲーション端末１０は、再度キーワード入力画面を表示し、ステップＢ２からの動作を繰り返す（ステップＢ８／なし）。ここで利用者がキーワード入力以外の方法で目的地を設定したい場合は、キーワード入力をキャンセルし、他の設定画面に遷移できる。
【００５０】
図５ではステップＢ３〜Ｂ５に対応する動作を、ナビゲーション端末１０、位置情報サーバ３０及び位置情報データベース４０を用いて表現している。
【００５１】
＜本実施例による効果＞
本実施例によれば、位置情報提供者は、ネットワークに接続されたＰＣなどからカーナビゲーションなどに対して、さまざまな情報を付加した位置情報を容易に提供できるようになる。これにより店舗などが宣伝情報を含めたり、個人が待ち合わせ場所を登録したりすることも可能となる。
【００５２】
また、ナビゲーションシステム利用者は、キーワード検索によって、位置に関するさまざまな情報を含んだ位置情報のリストを入手することができ、それによって、公共の場所や店舗以外の場所に対しても目的地を設定できるようになったり、位置情報のリストに含まれる特売情報やイベント案内などの付加情報を参考にして、目的地を選択、設定したりできるようになる。
【実施例２】
【００５３】
次に、本発明の他の実施例について図６、図７及び図８を用いて詳細に説明する。
＜構成＞
本実施例の構成は、前述した実施例と比較して、ネットワークに接続されたホームページサーバ６０を含む点、位置情報データベース４０が、位置情報として、位置に関連するＵＲＬを含む点において異なる。
【００５４】
次に位置情報提供者が位置情報を登録する場合の動作と、ナビゲーション端末利用者がキーワード検索により、目的地を設定する場合の動作について説明する。
【００５５】
＜位置情報及び付加情報の登録＞
図７において位置情報提供者がユーザ端末２０を用いて位置情報を登録する際の動作は、図２のステップＡ５、Ａ７及びＡ８を除いて前述の動作と同様である。また、図３の位置情報データベース４０において本実施例ではＵＲＬのフィールドが加わる。
【００５６】
ステップＣ５では、位置情報サーバ３０がＵＲＬの登録が可能な位置情報登録画面をユーザ端末２０に送付する。ステップＣ７においては、情報提供者が位置情報登録画面において、位置に関連するＵＲＬを含めた位置情報を入力し、ユーザ端末２０が位置情報サーバ３０に送信する。ステップＣ８では、位置情報サーバ３０はユーザ端末２０から受信したＵＲＬを含む位置情報を位置情報データベース４０に保存する。
【００５７】
＜キーワードによる目的地の検索及び目的地設定＞
次に、ナビゲーション端末利用者がキーワード検索により、目的地を設定する場合の動作について説明する。図８において、図４のステップＢ５、Ｂ７及びＢ８以外の動作は前述の実施例と同様である。
【００５８】
ステップＤ５において、位置情報サーバ３０は、検索結果として、キーワードにマッチする位置情報が見つかった場合は、前述の実施例における位置情報に加えてＵＲＬ情報をナビゲーション端末１０に送信する。ステップＤ７においては、ＵＲＬを含めて位置情報を画面に表示する。
【００５９】
ステップＤ８では、ナビゲーション端末利用者は、画面に表示された位置情報の内容をチェックする。ここで、利用者が、位置に関するさらに詳細な情報を知りたい場合は、その位置情報が含まれるＵＲＬを選択する。ナビゲーション端末１０は、ＵＲＬが選択されると、そのＵＲＬに対応するホームページサーバ６０にアクセスし、ホームページサーバ６０から送信された情報を画面に表示する。この後、利用者は、位置情報リストの表示画面に戻り、ステップＤ８の処理を繰り返すことができる。
【００６０】
＜本実施例の効果＞
本実施例により、ナビゲーション端末１０に提供する位置情報に、その位置に関連するホームページの情報を組み合わせることができるようになる。これにより、ナビゲーション端末利用者は、位置に関するより詳細な情報を入手できるようになり、また位置情報提供者は、ナビゲーション端末利用者に対して、より多くの情報を提供できることになる。
【産業上の利用可能性】
【００６１】
本発明はカーナビゲーション等のナビゲーションシステムに適用することができる。
【図面の簡単な説明】
【００６２】
【図１】第１の実施例におけるシステムの構成を示す図である。
【図２】第１の実施例における位置情報及び付加情報の登録の動作を示すフロー図である。
【図３】ユーザ端末から位置情報サーバに位置情報及び付加情報を登録する動作を表す図である。
【図４】第１の実施例における目的地の検索及び目的地設定の動作を示すフロー図である。
【図５】ナビゲーション端末から位置の検索を行う動作を表す図である。
【図６】第２の実施例におけるシステムの構成を示す図である。
【図７】第２の実施例における位置情報及び付加情報の登録の動作を示すフロー図である。
【図８】第２の実施例における目的地の検索及び目的地設定の動作を示すフロー図である。
【符号の説明】
【００６３】
１０    ナビゲーション端末
２０    ユーザ端末
３０    位置情報サーバ
４０    位置情報データベース
５０    ユーザＩＤ管理用データベース
６０    ホームページサーバ
１００    ネットワーク
【図１】
2005172524.tif 000003
【図２】
2005172524.tif 000004
【図３】
2005172524.tif 000005
【図４】
2005172524.tif 000006
【図５】
2005172524.tif 000007
【図６】
2005172524.tif 000008
【図７】
2005172524.tif 000009
【図８】
2005172524.tif 000010